(57)【要約】【課題】ハウジングとギヤケースとの固定部を把持して作業を行う場合の作業性低下を低減した手持ち式電動工具を提供する。【解決手段】把持部を有するハウジング４と、ハウジング４の前側においてハウジング４に固定されるギヤケース２１と、ギヤケース２１に接続される先端工具と、を備える電動工具において、ハウジング４とギヤケース２１との固定部は、ギヤケース２１の後側に形成される内周面２１ａと、内周面２１ａに形成される雌ネジ２１ｂと、ハウジング４の前側に形成される外周部５ｂと、外周部５ｂに回転自在かつ前方へ移動不可状態で設置されると共に、雌ネジ２１ｂと螺合する雄ネジ３３がスリーブ外周面３４に形成されたスリーブ３１と、を備えており、スリーブ３１を回転させることよってギヤケース２１をハウジング４に螺着させることで、ハウジング４とギヤケース２１とを固定することを特徴とする。【選択図】図５
2017226017.tif 000002
【特許請求の範囲】
【請求項１】
把持部を有するハウジングと、前記ハウジングの前側において前記ハウジングに固定されるギヤケースと、前記ギヤケースに接続される先端工具と、を備える手持ち式電動工具において、
前記ハウジングと前記ギヤケースとの固定部は、
前記ギヤケースの後側に形成される内周面と、
前記内周面に形成される雌ネジと、
前記ハウジングの前側に形成される外周部と、
前記外周部に回転自在かつ前方へ移動不可状態で設置されると共に、前記雌ネジと螺合する雄ネジが外周面に形成されたスリーブと、を備えており、
前記スリーブを回転させることよって前記ギヤケースを前記ハウジングに螺着させることで、前記ハウジングと前記ギヤケースとを固定するように構成されていることを特徴とする手持ち式電動工具。
【請求項２】
前記ギヤケースの前記内周面が形成されている箇所の外面は、円筒形状として形成されていることを特徴とする請求項１に記載の手持ち式電動工具。
【請求項３】
前記スリーブの前記雄ネジの後側には、前後方向から見て８以上の偶数の辺からなる正多角形部が形成されていることを特徴とする請求項１又は２に記載の手持ち式電動工具。
【発明の詳細な説明】
【技術分野】
【０００１】
本発明は、モータを駆動源とする手持ち式電動工具に関する。
【背景技術】
【０００２】
従来から、例えばディスクグラインダと称される手持ち式電動工具が知られている。この種の手持ち式電動工具は、前後に延びる筒状のハウジングと、ハウジングの前側に固定される加工部とを備えており、ハウジングには駆動源としてのモータが収容されている。加工部は、外郭となるギヤケースを有しており、ギヤケースには歯車等が収容されている。ギヤケースの下方には先端工具としての回転砥石が着脱可能に取り付けられており、この回転砥石によって研削作業等を行うことができる。ハウジングの外面は、使用者が把持するための把持部となっており、この把持部を片手又は両手で把持して作業を行う。また、加工部のギヤケースに補助ハンドルを装着すれば、一方の手で把持部を把持し、他方の手で補助ハンドルを把持して作業を行うことができる（例えば下記特許文献１参照）。
【０００３】
このような手持ち式電動工具を使用しての研削作業等においては、ハウジングとギヤケースとの固定部を把持して作業を行うことがある。このように把持すれば、より回転砥石に近い位置を把持することができるので、細かい作業を行うときに作業性を高めることが可能となる。
【先行技術文献】
【特許文献】
【０００４】
【特許文献１】特開２００４−２４９４２７号公報
【発明の概要】
【発明が解決しようとする課題】
【０００５】
ところが、特許文献１に開示されるような従来の手持ち式電動工具においては、ハウジングとギヤケースとは、ハウジングに形成された略四角形のフランジとギヤケースに形成された略四角形のフランジとを４本の子ネジによって固定する構成であった。このため、ハウジングとギヤケースとの固定部を把持して作業を行う場合には、略四角形のフランジが邪魔になり、作業性を低下を招いていた。
【０００６】
本発明は、上述した課題の存在に鑑みてなされたものであって、その目的は、ハウジングとギヤケースとの固定部を把持して作業を行う場合の作業性低下を抑制することができる手持ち式電動工具を提供することである。
【課題を解決するための手段】
【０００７】
本発明に係る手持ち式電動工具は、把持部を有するハウジングと、前記ハウジングの前側において前記ハウジングに固定されるギヤケースと、前記ギヤケースに接続される先端工具と、を備える手持ち式電動工具であって、前記ハウジングと前記ギヤケースとの固定部は、前記ギヤケースの後側に形成される内周面と、前記内周面に形成される雌ネジと、前記ハウジングの前側に形成される外周部と、前記外周部に回転自在かつ前方へ移動不可状態で設置されると共に、前記雌ネジと螺合する雄ネジが外周面に形成されたスリーブと、を備えており、前記スリーブを回転させることよって前記ギヤケースを前記ハウジングに螺着させることで、前記ハウジングと前記ギヤケースとを固定するように構成されていることを特徴とする。
【０００８】
本発明に係る手持ち式電動工具においては、前記ギヤケースの前記内周面が形成されている箇所の外面を円筒形状として形成することができる。
【０００９】
また、本発明に係る手持ち式電動工具においては、前記スリーブの前記雄ネジの後側を、前後方向から見て８以上の偶数の辺からなる正多角形部として形成することができる。
【発明の効果】
【００１０】
本発明によれば、ハウジングとギヤケースとの固定部を把持して作業を行う場合の作業性低下を抑制することができる手持ち式電動工具を提供することができる。
【図面の簡単な説明】
【００１１】
【図１】本発明の一実施形態に係る手持ち式電動工具の斜視図である。
【図２】同手持ち式電動工具の平面図である。
【図３】同手持ち式電動工具の側面図である。
【図４】図２におけるＡ−Ａ断面図である。
【図５】図４の要部拡大図である。
【図６】本発明の一実施形態に係る手持ち式電動工具が備えるスリーブの斜視図である。
【図７】本発明の一実施形態に係る手持ち式電動工具に装着可能な補助ハンドルの斜視図である。
【図８】本発明の一実施形態に係る手持ち式電動工具に補助ハンドルを装着した状態の一例を示す斜視図である。
【発明を実施するための形態】
【００１２】
以下、本発明を実施するための好適な実施形態について、図１〜図６を用いて説明する。なお、以下の実施形態では、本発明を手持ち式電動工具であるディスクグラインダに適用する場合を例示して説明する。また、以下の実施形態は、各請求項に係る発明を限定するものではなく、また、実施形態の中で説明されている特徴の組み合わせの全てが発明の解決手段に必須であるとは限らない。
【００１３】
本実施形態に係る手持ち式電動工具であるディスクグラインダ１は、図１〜図３に示すように、先端工具としての回転砥石２を下方に装着可能な加工部３と、加工部３から後方に延びる筒状のハウジング４とを備えている。ハウジング４の外周面は、使用者が把持する把持部となる。把持部は、前方側に位置する前方把持部５と、前方把持部５の後方側に位置する後方把持部６とを有している。前方把持部５の主要部の直径は後方把持部６の直径に対して小さく（細く）形成されている。後方把持部６の上下面の一部は、多数の吸気孔が形成された着脱式のフィルターカバー７として構成されている。なお、ハウジング４とフィルターカバー７とは樹脂により製造されている。また、加工部３の下方には回転砥石２を覆う安全カバー８が備えられている。
【００１４】
図４及び図５に示すように、ハウジング４の内部には回転砥石２を回転させるための駆動源となるモータ１０と、モータ１０を駆動制御するための電装部４１と、モータ１０への電力供給をオンオフするためのスイッチ４２とが収容されている。モータ１０は、モータ軸１１の軸線を前後方向として配置されており、その主要部は、前方把持部５の内側に位置している。電装部４１とスイッチ４２とは、後方把持部６の内側に位置している。なお、スイッチ４２が有する操作レバーは、ハウジング４の後端面から後方へ突出している。また、ハウジング４の後端面には電源コード４３が挿通されている（図１参照）。
【００１５】
ハウジング４の前側には加工部３が固定されている。加工部３は、外郭となるギヤケース２１を有しており、ギヤケース２１の内部には、後方から前方に向かって、モータ軸１１に固定される冷却ファン１２と、モータ軸１１の前部を回転自在に支持するベアリング１３と、モータ軸１１の前端部に固定されるピニオンギヤ１４とが配置されている。冷却ファン１２とベアリング１３との間には、ギヤケース２１の内部を前方領域と後方領域に画定する中央壁２２が設置されている。冷却ファン１２の後方にはファンケーシング１６が配置されている。
【００１６】
ピニオンギヤ１４の前方には上下方向の軸線を有する駆動軸２３がベアリング２４，２５によって回転自在に支持されている。駆動軸２３の上部にはピニオンギヤ１４に下側から噛み合うベベルギヤ２６が固定されている。駆動軸２３の下部はギヤケース２１から下方へ突出しており、この下部には回転砥石２がカラー２７とナット２８とで挟持されて取り付けられている。従って、モータ軸１１が回転することによって、モータ軸１１の回転力がピニオンギヤ１４とベベルギヤ２６との噛み合いによって駆動軸２３に伝達され、回転砥石２が回転する。
【００１７】
次に、ハウジング４と加工部３との固定部について説明する。
【００１８】
図５によく示されるように、ハウジング４の固定部は、前方把持部５から前方に向かってなだらかに拡径する拡径部５ａの前方に接続され、前方把持部５より大きい直径を有する外周部５ｂと、外周部５ｂの前側に接続され、外周部５ｂより大きな直径を有する大径部５ｃと、外周部５ｂと大径部５ｃとの間に形成される段差面５ｄとを有している。外周部５ｂの後方寄りには止め輪溝５ｅが形成されている。外周部５ｂにはスリーブ３１が嵌合している。スリーブ３１は、段差面５ｄと止め輪溝５ｅに装着される止め輪３８との間に配置されており、外周部５ｂに対して前後方向への移動ができない状態で回転自在に嵌合している。スリーブ３１は、図６によく示されるように、ハウジング４の外周部５ｂに嵌合するスリーブ内周面３２と、雄ネジ３３が形成されるスリーブ外周面３４と、スリーブ外周面３４の後方側において外面が正十二角形に形成された正多角形部３５とを有している。正多角形部３５は、スリーブ外周面３４から径方向外側に張り出して形成されている。
【００１９】
一方、ギヤケース２１の固定部は、ギヤケース２１の後端側に形成される内周面２１ａと、内周面２１ａの後方側に形成され、スリーブ３１の雄ネジ３３と螺合する雌ネジ２１ｂと、内周面２１ａの奥側（前側）において、内周面２１ａから径方向内側に向かって突設された段差壁２１ｃとを有している。内周面２１ａは、ギヤケース２１とハウジング４との前後方向軸線周りでの芯ずれを防止するために、ハウジング４の大径部５ｃに対して高い精度で嵌合すると共に、嵌合状態においてはハウジング４の大径部５ｃに対して回転可能及び前後方向に移動可能な状態となるように形成されている。段差壁２１ｃの後面とハウジング４の大径部５ｃの前端面との間には中央壁２２の縁部２２ａが位置している。内周面２１ａが形成されている箇所のギヤケース２１の外面は外周部２１ｄとして円筒形状に形成されている。外周部２１ｄは、前後方向から見て、スリーブ３１の正多角形部３５がその内方に収まる大きさの直径を有している。なお、本実施形態においては、外周部２１ｄの下面部には、安全カバー８との隙間をより大きくするため、外周部２１ｄの直径より内方に控えた水平面２１ｆが形成されている。このため、この水平面２１ｆの範囲においては、正多角形部３５の頂部が外周部２１ｄの外郭から外方に突出する場合があるが、その突出量はわずかである。また、この水平面２１ｆの範囲は、安全カバー８が接近して配置されているので、作業者が把持することはない。
【００２０】
ギヤケース２１の外周部２１ｄの前後方向中間位置には、外周部２１ｄより小さい直径を有する小径部２１ｅが所定の前後方向幅で形成されている。小径部２１ｅには、後述するように、補助ハンドル５０を装着することができる。
【００２１】
上述の構成において、ハウジング４と加工部３との固定は、雄ネジ３３が雌ネジ２１ｂに螺入する方向にスリーブ３１を回転させて締め付けることで達成される。具体的には、雄ネジ３３が雌ネジ２１ｂに螺入する方向にスリーブ３１を回転させて締め付けると、ギヤケース２１がハウジング４の方向に引き寄せられ、スリーブ３１の前端面とギヤケース２１の段差壁２１ｃとでハウジング４の大径部５ｃが中央壁２２の縁部２２ａと共に挟持されることで、ハウジング４と加工部３との固定が達成される。すなわち、スリーブ３１の回転操作によってハウジング４とギヤケース２１とが螺着されることで、ハウジング４と加工部３とを固定することができる。なお、スリーブ３１の回転操作は、正多角形部３５にスパナを掛けて行うことができる。
【００２２】
また、ハウジング４と加工部３とを固定する時に、ハウジング４と加工部３との前後方向軸線周りの位置関係を調整することができるので、所望する位置関係で固定することができる。特に、ハウジング４に前後方向軸線周りの方向性がある場合に有効である。
【００２３】
以上のように、本実施形態に係る手持ち式電動工具であるディスクグラインダ１では、ハウジング４と加工部３とをスリーブ３１を使用して連結固定する構成としたので、フランジを使用して連結固定する場合に比べて、固定部に把持する時に邪魔となる凹凸を小さくすることができる。従って、固定部を把持して作業する場合の作業性低下を抑制することができる。
【００２４】
また、固定部の作業者が把持する範囲は、前後方向から見て、スリーブ３１の正多角形部３５がギヤケース２１の外周部２１ｄの内方に収まるように構成されているので、正多角形部３５が有する頂部が固定部を把持する手に強く接触することを抑制できる。従って、正多角形部３５を把持したときに感じる痛みを和らげることができる。
【００２５】
さらに、正多角形部３５を正十二角形としたことにより、その頂角が１５０°となり大きな鈍角となるので、正多角形部３５を把持したときに頂部によって感じる痛みを和らげることができる。
【００２６】
次に、本実施形態に係る手持ち式電動工具であるディスクグラインダ１に装着可能な補助ハンドル５０について説明する。
【００２７】
図７及び図８に示されるように、本実施形態に係る手持ち式電動工具であるディスクグラインダ１に装着可能な補助ハンドル５０は、ベルト締め付け装着タイプの補助ハンドルであって、円柱状のグリップ５１と、グリップ５１の一端側に設けられる円環状のベルト５２と、グリップ５１とベルト５２との間に設けられる支持部５３とを有しており、ベルト５２に対してグリップ５１をその軸線周りの一方向に回転させると、ベルト５２がグリップ５１の方向に引き寄せられ、他方向に回転させると、ベルト５２がグリップ５１の方向から離れるように構成されている。補助ハンドル５０のギヤケース２１への装着は、ベルト５２をディスクグラインダ１の後方側から挿通してギヤケース２１の小径部２１ｅ上に位置させた上で、グリップ５１をその軸線周りの一方向に回転させることで達成される。すなわち、グリップ５１をその軸線周りの一方向に回転させることで、ベルト５２がグリップ５１の方向に引き寄せられると、ベルト５２と支持部５３とで小径部２１ｅと外周部２１ｄとを締め付けることで装着することができる。なお、図８で示される補助ハンドル５０の装着方向は一例であって、円筒形状の小径部２１ｅと外周部２１ｄとをベルト５２と支持部５３とで締め付ける構成であることから、装着方向は任意の方向に変更することができる。
【００２８】
このように、本実施形態に係る手持ち式電動工具であるディスクグラインダ１では、ギヤケース２１の固定部の外面を円筒形状にすることができるので、この固定部に利便性の高いベルト締め付け装着タイプの補助ハンドルを装着することができる。
【００２９】
以上、本発明の好適な実施形態について説明したが、本発明の技術的範囲は上記実施形態に記載の範囲に限定さない。上記実施形態には、多様な変更又は改良を加えることが可能である。
【００３０】
たとえば、上述の実施形態においては、正多角形部３５を正十二角形としたが、これに限定されない。たとえば、正八角形や正十角形とすることもできる。正八角形の場合、その頂角は１３５°となり、正十二角形の場合の１５０°に対して角度はやや小さくなるが、依然として大きな鈍角を有しており、正多角形部３５を把持したときに感じる痛みを和らげることができる。すなわち、正多角形部３５は、スパナを掛けることができる必要性もあることから、８以上の偶数の辺を有する正多角形であればよい。
【００３１】
また、たとえば、上述の実施形態においては、正多角形部３５は頂部を有する形状であったが、各頂部となる領域を正多角形部３５の外接円より小さい直径を有する外周面として形成することもできる。このように構成すれば、頂部が固定部を把持する手に接触することがないので、正多角形部３５を把持したときに感じる痛みをさらに和らげることができる。
【符号の説明】
【００３２】
１        ：ディスクグラインダ
２        ：回転砥石
３        ：加工部
４        ：ハウジング
５        ：前方把持部
５ａ      ：拡径部
５ｂ      ：外周部
５ｃ      ：大径部
５ｄ      ：段差面
５ｅ      ：止め輪溝
６        ：後方把持部
７        ：フィルターカバー
８        ：安全カバー
１０      ：モータ
１１      ：モータ軸
１２      ：冷却ファン
１３      ：ベアリング
１４      ：ピニオンギヤ
１６      ：ファンケーシング
２１      ：ギヤケース
２１ａ    ：内周面
２１ｂ    ：雌ネジ
２１ｃ    ：段差壁
２１ｄ    ：外周部
２１ｅ    ：小径部
２１ｆ    ：水平面
２２      ：中央壁
２２ａ    ：縁部
２３      ：駆動軸
２４      ：ベアリング
２５      ：ベアリング
２６      ：ベベルギヤ
２７      ：カラー
２８      ：ナット
３１      ：スリーブ
３２      ：スリーブ内周面
３３      ：雄ネジ
３４      ：スリーブ外周面
３５      ：正多角形部
３８      ：止め輪
４１      ：電装部
４２      ：スイッチ
４３      ：電源コード
５０      ：補助ハンドル
５１      ：グリップ
５２      ：ベルト
５３      ：支持部
【図１】
2017226017.tif 000003
【図２】
2017226017.tif 000004
【図３】
2017226017.tif 000005
【図４】
2017226017.tif 000006
【図５】
2017226017.tif 000007
【図６】
2017226017.tif 000008
【図７】
2017226017.tif 000009
【図８】
2017226017.tif 000010